(57)【要約】  規定されたセキュリティ・エリアを保護するためのセキュリティ・システムを設計、モデリングおよびテストする方法。方法は、セキュリティ・システム内に何らかの弱点があるかどうかを判定するため、１つまたは複数の侵害シナリオを動作させるためにコンピュータを使用して、セキュリティ・エリアをモデリングする工程と、セキュリティ・エリアのセキュリティ・システムをモデリングする工程と、セキュリティ・システムをテストする工程とを含む。テストは、モデルおよび１つまたは複数の侵害シナリオを、ならびに／またはリアルタイムで、実施する１人または複数のプレーヤによるコンピュータ・ゲームの形態であってよい。
2008536199.tif 000002
【特許請求の範囲】
【請求項１】
コンピュータによりセキュリティ・システムをモデリングおよびテストする方法であって、
ａ）所定のセキュリティ・エリアに対してセキュリティ・システムの少なくとも１つのセキュリティ要素を選択する工程と、
ｂ）前記所定のセキュリティ・エリア内の少なくとも１つの場所に配置された前記少なくとも１つの選択されたセキュリティ要素を使用して、前記セキュリティ・システムをモデリングする工程と、
ｃ）前記モデリングされたセキュリティ・システムをテストするために、少なくとも１つの侵害シナリオを選択する工程と、
ｄ）前記少なくとも１つの侵害シナリオを実行する工程と、
を含む方法。
【請求項２】
前記少なくとも１つの選択されたセキュリティ要素が、既知の仕様を有する少なくとも１つの選択されたセンサを含む、請求項１に記載の方法。
【請求項３】
前記少なくとも１つの選択されたセキュリティ要素が、ｉ）超広帯域（ＵＷＢ）センサ、ｉｉ）閉回路ＴＶ（ＣＣＴＶ）、ｉｉｉ）マイクロ波センサ、ｉｖ）レーザ・センサ、ｖ）接点スイッチ、ｖｉ）赤外線センサ、ｖｉｉ）運動センサ、ｖｉｉｉ）熱検出器、ｉｘ）煙検出器、ｘ）圧力センサ、ｘｉ）加速度計、およびｘｉｉ）振動センサのうち少なくとも１つを含む、請求項１に記載の方法。
【請求項４】
前記少なくとも１つの選択されたセキュリティ要素が選択された要員を含む、請求項１に記載の方法。
【請求項５】
前記少なくとも１つの選択されたセキュリティ要素が応答手順を含む、請求項１に記載の方法。
【請求項６】
前記所定のセキュリティ・エリアが、ｉ）人工の建造物、およびｉｉ）天然の建造物の少なくとも一方を有する少なくとも１つの建造物を含む、請求項１に記載の方法。
【請求項７】
前記所定のセキュリティ・エリアが、前記所定のセキュリティ・エリアを支援する少なくとも１つの施設を含む、請求項１に記載の方法。
【請求項８】
前記所定のセキュリティ・エリアが、ｉ）規定された周囲内側の土地、およびｉｉ）規定された周囲外側の土地の少なくとも一方を有する土地を含む、請求項１に記載の方法。
【請求項９】
前記セキュリティ・システムの指令／制御センタをモデリングする工程をさらに含む請求項１に記載の方法。
【請求項１０】
前記モデリングされたセキュリティ・システムをテストする工程が、ゲームの形態でコンピュータ・シミュレーションを実施する工程をさらに含み、第１のプレーヤが、前記少なくとも１つの侵害シナリオを実施する第２のプレーヤからの攻撃に応答するため、前記モデリングされたセキュリティ・システムを使用して、前記所定のセキュリティ・エリアを保護する、請求項１に記載の方法。
【請求項１１】
前記モデリングされたセキュリティ・システムをテストする工程が、前記モデリングされたセキュリティ・システム内に少なくとも１つの弱点があるかどうかを判定するために、前記モデリングされたセキュリティ・システムの前記テストを使用する工程をさらに含む、請求項１に記載の方法。
【請求項１２】
前記モデリングされたセキュリティ・システム内で前記少なくとも１つの見つかった弱点に少なくとも部分的に基づいて、前記セキュリティ・システムを更新する工程をさらに含む請求項１１に記載の方法。
【請求項１３】
前記モデリングされたセキュリティ・システムが、既存のセキュリティ・システムのモデルである、請求項１に記載の方法。
【請求項１４】
前記モデリングされたセキュリティ・システムのテストが、ｉ）ＬＡＮ、ｉｉ）ＷＡＮ、ｉｉｉ）イントラネット、およびｉｖ）インターネットのうち１つによって接続された少なくとも２つのコンピュータを使用して、少なくとも部分的に遠隔的に実行される、請求項１に記載の方法。
【請求項１５】
前記第１のプレーヤおよび前記第２のプレーヤの少なくとも一方が、コンピュータで生成される、請求項１０に記載の方法。
【請求項１６】
前記第１のプレーヤおよび前記第２のプレーヤの少なくとも一方が、複数のプレーヤをさらに含む、請求項１０に記載の方法。
【請求項１７】
前記少なくとも１つのセキュリティ要素が、既知のセキュリティ要素のデータベースから選択される、請求項１に記載の方法。
【請求項１８】
前記少なくとも１つの侵害シナリオが、既知の侵害シナリオのデータベースから選択される、請求項１に記載の方法。
【請求項１９】
前記少なくとも１つの侵害シナリオの実行において現実感を深めるために、少なくとも１つのパラメータを選択する工程をさらに含む、請求項１に記載の方法。
【請求項２０】
前記少なくとも１つのパラメータが、ｉ）温度、ｉｉ）風、ｉｉｉ）降水、ｉｖ）霧、ｖ）自然による振動、ｖｉ）機械による振動、ｖｉｉ）満潮、およびｖｉｉｉ）氷から選択される、請求項１９に記載の方法。
【請求項２１】
セキュリティ・システムの使用法を要員に訓練する方法であって、
ａ）前記セキュリティ・システムについて、少なくとも１つの侵害シナリオを選択する工程と、
ｂ）コンピュータを使用して、前記少なくとも１つの侵害シナリオに応答する工程と、
を含む方法。
【請求項２２】
前記コンピュータを使用して、前記少なくとも１つの侵害シナリオに応答するため、現実感を深めるために少なくとも１つのパラメータを選択する工程をさらに含む、請求項２１に記載の方法。
【請求項２３】
前記コンピュータを使用する工程が、実際のセキュリティ・システムのコンピュータ上で訓練する工程をさらに含む、請求項２１に記載の方法。
【請求項２４】
前記コンピュータを使用する工程が、前記セキュリティ・システムのモデルをプログラミングしたコンピュータ上で訓練する工程をさらに含む、請求項２１に記載の方法。
【請求項２５】
コンピュータを使用してセキュリティ・システムをモデリングおよびテストするための命令が記録されたコンピュータ可読媒体であって、前記命令が、
ａ）所定のセキュリティ・エリアに対してセキュリティ・システムの少なくとも１つのセキュリティ要素を選択する工程と、
ｂ）前記所定のセキュリティ・エリア内の少なくとも１つの場所に配置された前記少なくとも１つの選択されたセキュリティ要素を使用して、前記所定のセキュリティ・エリアをモデリングする工程と、
ｃ）前記モデリングされたセキュリティ・システムをテストするために、少なくとも１つの侵害シナリオを選択する工程と、
ｄ）前記少なくとも１つの侵害シナリオを実行する工程と、
を含む、コンピュータ可読媒体。
【発明の詳細な説明】
【技術分野】
【０００１】
本発明は、概して、建造物および建造物を取り囲んでいるエリアのセキュリティ・システムに関する。より詳細には、本発明は、実際のシステム・コンポーネントを具現化する前に、現実世界のシナリオの中でセキュリティ・システムの有効性を究明することを可能にし、効率的な要員の訓練を可能にする、複雑なセキュリティ・システムを設計する方法に関する。
【背景技術】
【０００２】
所与のエリアのセキュリティ・システムを具現化することが望ましい事例は多数ある。この種のエリア、すなわちセキュリティ・エリアは、任意の大きさであってよく、建造物、その建造物を支援する設備、インフラ、画定された周囲の内側の土地、ならびに周囲外側の土地および建造物と関連してよい。セキュリティ・エリアは、一戸建て住宅、集合住宅、企業施設、政府もしくは軍事施設、または公園もしくは自然保護区域などの自然エリアであってよい。ある場合には、セキュリティ・システムは、セキュリティ・エリアと平行して設計される。他の場合には、セキュリティ・システムは、既存の建造物およびエリア内で実施される。
【０００３】
セキュリティ・システムは、今日では、高度なセンサ技術、モニタリング・システム、指令と制御のシステム、および保安要員を含み得る。より小さいシステムでさえも、実施するためには費用がかかるようになる可能性があり、実施されると、セキュリティ・システムの欠陥により、盗難および／または人身傷害および／または人命損失の点で、コストがかかる可能性がある。
【０００４】
一般的には、新規または改造システムは、セキュリティ・エリアの仕様と共に顧客要求を受けることによって設計される。セキュリティ・システムの設計者は、顧客要求、仕様、および割り当てられた予算を使用して、そのエリアを保護するためにシステム要素および方法を選択する。承認されると、システムは物理的に実施され、テストされる。システム・テストは、一般的に、システム要素を物理的にテストすることから、すなわち要素の仕様の中で予想される出力に関してテストするために既知入力を提供することからなる。
【０００５】
まれなケースでは、セキュリティ・システム全体は、そのシステムが設置され、動作可能になると、模擬テストを使用してテストされる。ある場合には、既存システムがこれらの模擬テストによってテストされるが、これらのテストは大きな労働力を要する可能性があり、その施設の通常の就業時間およびスケジュールを混乱させ、特定の侵害シナリオを明らかにすることができない場合がある。したがって、セキュリティ・システムをテストし、設置されたセキュリティ・システムについて要員を訓練するために、必要な労働および施設／労働力の時間を軽減する必要がある。
【０００６】
仕様変更、予期せぬ障害のためにやり直しが必要とされることがあり、または１つもしくは複数の選択された要素を示すテスト結果が顧客要求を満たさないこともある。これらのやり直し作業は非常にコストがかかることになり、システムの完成に遅延をきたす可能性がある。したがって、設置前にセキュリティ・システムを最適化することによって、セキュリティ・システム要素のやり直しを減らす必要がある。
【０００７】
電気的回路のモデリングは、例えば米国特許第６，０５２，５２４号「総合ハードウェア／ソフトウェア・コンポーネントをシミュレーションするシステム及び方法」で知られている。第‘５２４号特許には、統合ハードウェアおよびソフトウェアのコンポーネントのシミュレーションについてのシステムおよび方法が記載されている。記載のシステムは、シミュレータ・サイクルのＸ−番号がシミュレートされたハードウェア・コンポーネント上のサイクルのＹ−番号に相当するサイクルが正確なシミュレータを含む。サイクルが正確なシミュレータは、所望のハードウェア・コンポーネント（例えば、中央演算処理装置）の動作実行パイプラインの段階をモデリングする。サイクルが正確なシミュレータは、動作が実行されるためにはどれだけの時間がかかるかを示すことができ、動作が起こるときには、動作のタイミングおよび順序を示すことができる。サイクルが正確なシミュレータは、事象駆動型であることが好ましく、事象を使用して、シミュレーション内のタイミング行動ならびにハードウェアおよびソフトウェアのコンポーネントの相互作用を決定する。サイクルが正確なシミュレータはまた、通常の動作に必要なサイクルの数が決定される場合には、「命令タイミング」モードで使用可能でもあるが、通常の動作をなす個々の動作の順番またはタイミングはシミュレートされない。
【０００８】
第‘５２４号特許に記載のシステムは、所望の電子デバイスのハードウェア・コンポーネントをモデリングおよび検証するためのシミュレータ・ライブラリをさらに含む。シミュレータ・ライブラリは、複数の内部および外部のハードウェア・コンポーネント（例えば、中央演算処理装置、メモリ、メモリ管理装置、キャッシュ、タイマ、万能非同期送受信機、およびデジタル・シグナル・プロセッサ）をシミュレートするための内蔵モデルを含んでよい。内蔵モデルは、所望のシミュレートされた動作について実行される多数のサイクルをサイクルが正確なシミュレータ上に返す。シミュレータ・ライブラリはまた、シミュレートされたコンポーネントのクロックを新規クロック速度に設定するため、シミュレータ・ライブラリのクロックと、サイクルが正確なシミュレータのクロックとの間を調整するため、現在のクロック・サイクルの前に、またはその間に起こる事象を処理するため、割り込みベクトルと、割り込み優先レベルとを変更するため、シミュレートされた動作中にレジスタ変更についての通知を行うため、またはシミュレートされたハードウェア・コンポーネントについて１つまたは複数の個別のサブコンポーネント（例えば状況ビット）を設定するためのシミュレータ・インターフェース・ルーチンを含んでもよい。内蔵モデルおよびルーチンを有するシミュレータ・ライブラリは、サイクルが正確なシミュレータに対するインターフェースとして使用される。
【特許文献１】米国特許第６，０５２，５２４号
【発明の開示】
【発明が解決しようとする課題】
【０００９】
第‘５２４号特許に記載されているようなモデリング技術は、回路レベルのシステムに適用できるだけである。つまりこの方法は、本質的には、自動化された回路およびソフトウェアを解析することである。これらのモデリング技術は、現実世界の具現化には取り組んでおらず、現実世界の状況の中で、完全なセキュリティ・システムの機能性を設計およびテストすることにまで拡張されることはできない。すべての技術的システムの要求を満たしていることと、その場合に、意図的にそのシステムを負かすこと、または言い換えれば、侵害することを試みる外部の部隊を有していることとによる問題の認識はない。
【００１０】
システムを実施する前に、セキュリティ・システムを設計するための、ならびにその設計および提案されたシステム・アーキテクチュアをテストするためのシステムおよび方法が必要である。また、労働を軽減し、広範囲の侵害シナリオの適用範囲を拡張して、既存のセキュリティ・システムをテストするシステムおよび方法も必要である。一般的なセキュリティ・システムは、効率的な訓練能力に欠けている。したがって、現実世界のシナリオの中でより効率的に訓練し、一方、労働および労働時間の混乱を最小限にすることが必要である。
【課題を解決するための手段】
【００１１】
本発明は、センサおよび防衛手段を設置する前に、選択されたセンサおよび防衛手段をテストするため複数の現実世界の侵害シナリオを使用して、セキュリティ・システムを設計およびテストする方法を提供することにより、先に論じたいくつかのまたはすべての不利点に取り組む。
【００１２】
本発明の一態様は、所定のセキュリティ・エリアのセキュリティ・システムについて１つまたは複数のセキュリティ要素を選択することと、そのセキュリティ・エリア内の場所に配置されて選択されたセキュリティ要素を使用してセキュリティ・エリアをモデリングすることと、そのモデリングされたセキュリティ・システムをテストするために侵害シナリオを選択することと、その侵害シナリオを実行することとを含むセキュリティ・システムをモデリングおよびテストする方法である。パラメータが、現実感を高めるために、セキュリティ・システムのモデルおよび／または侵害シナリオに追加可能である。パラメータは、現在時刻、環境条件、天候条件、および気象事象などの条件を含んでよい。条件は、そのモデルの現実感を高めるために、温度、風速、降水、満潮、振動、および任意の他の現実的条件を含んでよい。
【００１３】
セキュリティ要素は、既知の仕様を有するセンサを選択可能である。セキュリティ要素は、ｉ）超広帯域（ＵＷＢ）センサ、ｉｉ）閉回路ＴＶ（ＣＣＴＶ）、ｉｉｉ）マイクロ波センサ、ｉｖ）レーザ・センサ、ｖ）接点スイッチ、ｖｉ）赤外線センサ、ｖｉｉ）運動センサ、ｖｉｉｉ）熱検出器、ｉｘ）煙検出器、ｘ）圧力センサ、ｘｉ）加速度計、およびｘｉｉ）振動センサのうち、いずれかまたはすべてを含んでよい。セキュリティ要素は、規定された防衛手段および／または応答手順を実行するセキュリティ部隊および／または要員を含んでよい。
【００１４】
本発明の他の態様は、コンピュータ・ゲームの形態で方法を実施することである。方法は、セキュリティ・システムの指令／制御センタをモデリングすることを含む。ゲームはコンピュータ・シミュレーションを含み、第１のプレーヤは、侵害シナリオを実行する第２のプレーヤからの攻撃に応答するために、セキュリティ・システムのモデルを使用してセキュリティ・エリアを保護する。
【００１５】
ゲームおよび／またはテストの結果に応答して、セキュリティ・システムおよび／またはセキュリティ・エリアは、見つかった弱点に部分的に基づいて更新可能である。
【００１６】
一態様では、テストおよび／またはゲームは、ｉ）ＬＡＮ、ｉｉ）ＷＡＮ、ｉｉｉ）イントラネット、およびｉｖ）インターネットのうち１つによって接続される少なくとも２つのコンピュータを使用して、少なくとも部分的に遠隔に実行される。ゲームでは、第１のプレーヤと第２のプレーヤのいずれか一方がコンピュータで生成されることができる。双方のプレーヤは、セキュリティ・システムの完全に自動化されたテストについてコンピュータで生成されることができる。人間のプレーヤを使用する場合には、各プレーヤはゲームに勝つために協力し合う複数のプレーヤであることができる。
【００１７】
他の態様では、コンピュータを使用して、セキュリティ・システムをモデリングおよびテストするための記録された命令を有するコンピュータ可読媒体が提供され、その命令は、所定のセキュリティ・エリアのセキュリティ・システムについて１つまたは複数のセキュリティ要素を選択することと、そのセキュリティ・エリア内の場所に配置される選択されたセキュリティ要素を使用してセキュリティ・エリアをモデリングすることと、そのモデリングされたセキュリティ・システムをテストするために侵害シナリオを選択することと、その侵害シナリオを実行することとを含む。
【００１８】
他の態様では、コンピュータでモデリングされたセキュリティ・システムを使用する要員を訓練する方法が、モデリングされたセキュリティ・システムについて侵害シナリオを選択することと、コンピュータを使用してその侵害シナリオに応答することとを含む。
【００１９】
本発明について詳細に理解するためには、同様の要素には同様の数字が与えられている添付の図面と共に解釈される好ましい実施形態について、以下の詳細な説明を参照すべきである。
【発明を実施するための最良の形態】
【００２０】
図１は、一般的なセキュリティ・エリア１００を示すために、取り囲んでいる周囲、および門のある入り口を有する建造物のワイヤフレームの立面図である。セキュリティ・エリア１００は、規定された周囲１０４を有する建造物１０２を含む。セキュリティ・エリア１００は、建造物１０２の内部体積、周囲１０４の内側の土地、および周囲１０４を取り囲んでいる土地を含む。
【００２１】
建造物１０２は、複数の建造物を含んでよい。周囲１０４は、建造物（複数可）を取り囲んでいる壁またはフェンスであってよく、またはその周囲は規定された境界であってよく、それは普通なら、図面によっては区別不可能である。周囲はまた、互いに直接、接続可能な、または接続不可能な複数の規定された周囲を含んでもよい。周囲は野生生物保護区、国立または州立の公園の境界線であってよく、または、周囲は軍事施設の周辺区域であってよい。さらには、建造物１０２は図示のような人工の建造物ではなく、天然の建造物、例えば公園の洞窟であってよい。本明細書で使用するときには、「セキュリティ・エリア」という用語は、セキュリティが望まれる任意のエリアを意味すると言えば十分であろう。
【００２２】
本発明の一態様では、建造物１０２は図示のように建物である。建物は、複数の階床１０６および内部の部屋、壁、床、屋根、コンクリートの駐車場、窓、ドア、屋内配管、家具などを含んでよい。建物周辺の屋外セキュリティ・エリア１０８はまた、セキュリティ・エリア１００を支援する様々な施設および土地を含んでもよい。いくつかの例には、フェンス１１８、道路１２０、歩道１２２、埋設管および下水道管１２４、地形、水関連設備、木々、造園などを含むこともある。
【００２３】
図１に示すように、セキュリティ・エリア１００のセキュリティ・システム１０１は、任意の数のセキュリティ要素１１０を含むことが可能であろう。例示のセキュリティ要素１１０は、視線センサ、行動探知機、圧力センサ、モニタ、超広帯域（ＵＷＢ）センサ、接触センサ、照明、煙および熱検出器、生体物質センサ、ならびにセキュリティ・エリア１００全体に配備される要員を含んでよい。指令／制御センタ１１２を使用して、セキュリティ・システム１０１のセキュリティ要素１１０のすべてを統合およびモニタニングすることが可能になるであろう。セキュリティ・システム１０１はまた、セキュリティ破壊について関係者に警告するための外部への電話および／またはコンピュータのアクセスを含んでもよい。指令／制御センタ１１２は、コンピュータ１１３を含んでよい。コンピュータ１１３は、プロセッサ、ストレージ・システム、出力モニタ、プリンタおよび／または任意の他のコンピュータ出力装置を含んでよい。コンピュータ１１３はさらに、キーボード、マウス、ジョイ・スティック、および／または本発明を実施するため適切な任意の他の所望のコンピュータ入力装置を含んでよい。コンピュータ１１３は、携帯型であり、独立型であってよく、またはセキュリティ・システムの指令と制御のコンソールの統合コンポーネントであってよい。
【００２４】
セキュリティ・エリア１００内の建造物（複数可）１０２は、外側周囲１０４が侵害された場合に備えて、その内側および／またはその上部に配設される複数のセンサ１１４および／または他のセキュリティ要素１１０を備えてよい。外側周囲１０４および／または周囲１０４を取り囲んでいる土地はまた、車両および／または要員の動きを検出するための圧力センサ、および／または他のセンサなどの様々な埋設センサ１１６を含むことも可能であろう。
【００２５】
セキュリティ・システム１０１などのセキュリティ・システムをモデリングおよびテストする方法２００を図２の流れ図に示す。方法２００は、ハード・ドライブ、コンピュータ・ディスク、テープ、光ディスク、フラッシュ・メモリ、読取り専用メモリ（ＲＯＭ）、および／またはランダムアクセス・メモリ（ＲＡＭ）などのコンピュータ可読媒体上に保管された命令を処理するためにプログラムされたコンピュータ・システムを使用することを含んでよい。
【００２６】
方法２００は、セキュリティ・エリア１００のモデルを作成する工程（２０２）を含んでよい。その場合には、設計者が、検出の方法およびコンポーネント、すなわちセキュリティ要素１１０を選択することができる（２０４）。選択されたセキュリティ要素１１０は、次に、セキュリティ・システム１０１のモデル２０１を規定するために、セキュリティ・エリア１００のモデル２０２内に設置可能である（２０６）。死角の有無を判定するため、２０６で設置された場所内の選択されたセキュリティ要素１１０をテストするために、選択的なプレスクリーン・プログラムが実行可能である（２０８）。様々な侵害シナリオおよびアセットが選択可能である（２１０）。破壊防衛手段が選択可能であり、および／またはセキュリティ・システム１０１のモデル２０１に追加可能である（２１２）。侵害シナリオは、セキュリティ・システム１０１のモデル２０１をテストするために実行可能である（２１４）。このような方法で、もしあるとすれば、設計および／またはセキュリティの論理における弱点が検出、および修正可能である。次に、モデリングおよびテストの各要素をより詳細に説明することにする。
【００２７】
セキュリティ・エリア１００のモデル２０２は、利用可能な予算を考慮して、所望のセキュリティ・レベルに応じて任意の所望の精度に作成可能である。例えば、住宅建造物のモデルは、軍事施設のモデルに比べてそれほど精巧ではないであろう。セキュリティ・エリア１００のモデル２０２は、建造物１０２、土地、周囲１０４、および周囲１０４の外側のエリアを含んでよい。セキュリティ・エリア１００のモデル２０２は、建造物１０２、土地、および／または周囲１０４に関する、実際の大きさおよび距離の情報を含んでよく、なぜなら多数のセンサおよびカメラのレンズが、距離に関する仕様に関連しているからである。
【００２８】
セキュリティ・エリア１００のモデル２０２は、例えばコンクリート、木材、金属などの建造物の材料の材料情報をさらに含んでよい。この情報は、適切なセンサ技術を決定する際に役立つことができる。例えば、あるセンサは、ある材料の中を貫通することができ、他の材料の中を貫通することができない。例えば、建造物１０２がすべて金属である場合には、ＵＷＢセンサは金属の建造物１０２を貫通することは恐らくないので、典型的に、ＵＷＢセンサを使用しないことになる。しかし、コンクリート、木材、または金属フレームの建造物１０２は、ＵＷＢセンサに対してはより適しているであろう。
【００２９】
セキュリティ・エリア１００のモデル２０２はまた、セキュリティ・エリア１００内の各建造物１０２について、階床１０６および内部の部屋、壁、屋根、コンクリートの駐車場、窓、ドア、屋内配管、ならびに家具を含んでもよい。セキュリティ・エリア１００のモデル２０２はまた、フェンス１１８、道路１２０、歩道１２２、木々、造園、埋設管および下水道管１２４、地形、水の関連設備など、様々な施設および土地を含んでもよい。一実施形態では、材料、建造物１０２、植物、配管などのデータベースを使用して、モデル２０２を構築可能である。これらの要素の特性は、同様のエリア１００をモデリングすることにより追加の情報が提供されるときに、更新可能である。
【００３０】
方法の一態様では、モデリング・プログラムは、建物、建造物、壁、床、屋根、コンクリートの建造物（例えば駐車場）、窓、ドア、屋内配管、家具、および建造物１０２を表すための所望の任意の他のものを描くためのモデルリング・ツール・ボックスを提供することができる。
【００３１】
モデル２０２のセキュリティ要素１１０を選択すること２０４は、既知の要素１１０のデータベースによるものであってよく、または選択された２０４セキュリティ要素１１０は特定モデル２０２について開発可能である。セキュリティ要素１１０は、任意の数のセンサであってよい。例示のセンサ技術は、超広帯域（ＵＷＢ）センサ、閉回路ＴＶ（ＣＣＴＶ）、マイクロ波センサ、レーザ・センサ、ドア用、門用、および窓用の接点スイッチ、赤外線センサ、運動センサ、熱および煙検出器、圧力センサ、加速度計、ならびに振動センサを含んでよい。本発明の一態様では、データベースは、データベース内のすべての利用可能なセンサを識別するツール・ボックスを支援する。データベース以外で開発または選択される新規センサは、今後のモデリング・プロジェクトのためのデータベースおよびツール・ボックスに追加可能である。
【００３２】
センサのパラメータおよび仕様は、モデリングする前またはその間にデータベースに入力される。センサは、セキュリティ・エリア１００の特定の一部分をモデル２０２として適応させるために、センサの能力に部分的に基づいて選択される。選択されたセンサは、セキュリティ・システム１０１のモデル２０１を規定するためにモデル２０２内に配置される（２０６）。プレスクリーン・プログラムは、セキュリティ・システム１０１のモデル２０１内の死角を識別するために、選択的に動作される（２０８）。死角は、選択されたセンサのすべてが仕様に従って、接続状態であり動作している場合に、適用範囲が少ないかまたはカバーしていないエリアである。この場合には、セキュリティ・システム１０１のモデル２０１は、追加センサの選択、センサを変更すること、および／またはセンサの感度を調整することによって、この種の調整が選択されたセンサの仕様内にある場合には、更新可能である。プレスクリーン・プログラムは、データベースからセキュリティ要素１１０の仕様ならびに規定されたセキュリティ・エリア１００のパラメータおよび／または材料を活用して、各セキュリティ要素１００の適用範囲を算出することが可能である。死角は、所与の材料からなる壁が特定の選択されたセキュリティ要素１１０の範囲を不明瞭にしている場合に存在してしまう可能性がある。ある場合には、セキュリティ要素１１０は、特定の範囲が重なり合わないほどに離間し過ぎて単純に配置されている。
【００３３】
１つまたは複数の侵害シナリオが選択される（２１０）。侵害シナリオは、セキュリティ・エリア１００に対する任意の潜在的なリスクである。侵害シナリオは、１人または複数の侵入者による物理的破壊であってよい。侵入者は徒歩であっても、または車両（地上車両、水上車両および／または飛行車両であってよい）に乗っていてもよい。侵害シナリオは、現実的なシナリオであるべきである。例えば、非現実的な速さにおいて足で走っている人間を使用することは、セキュリティ・システム１０１のモデル２０１の有効なテストにはならないことがある。さらには、任意の現実的な侵害シナリオが選択可能ではあるが、一般市民の一戸建て住宅のセキュリティ・エリア１００が装甲車により破壊されることは、たとえこの種の車両が他のモデル２０１、２０２についてのデータベースで利用可能であっても、予想できないであろう。後に論じるように、侵害シナリオは、テスト中のテスト要員によって開発可能であり、および／または侵害シナリオは、セキュリティ・エリア１００のモデル２０２のために選択された様々なセンサ技術においての専門家の共同努力により開発可能である。本明細書に使用されるときには、侵害シナリオは、選択的なプレスクリーン・プログラムを含んでよい。したがって、プレスクリーン・プログラムを動作させることは、１つのタイプの侵害シナリオである。
【００３４】
他のパラメータを侵害シナリオの中でおよび／またはセキュリティ・システム１０１のモデル２０１の中で使用して、テストにおける現実感を深めることが可能である。これらのパラメータは、建造物１０２に対する様々な環境的内部条件であってよく、および／またはセキュリティ・エリア１００の外部条件であってもよい。これらの条件は、現実感を深めるために、任意の数の条件を含んでよい。限定されるものではなく、この種の条件は、温度、風、降水、霧、振動、満潮、氷、振動（自然により、もしくは機械により発生する）、またはセキュリティ・システム１０１の有用性を見つける際に、もしくはセキュリティ・システム１０１の使用法を要員に訓練する際に、有益な任意の他の現実的な条件であってよい。
【００３５】
一実施形態では、侵害シナリオの少なくとも一部分は、セキュリティ要素１１０の選択に部分的に基づいて、コンピュータで生成可能である。方法の一態様では、侵害シナリオは、セキュリティ脅威を作成するために、施設および／またはセキュリティ・エリア１００内で移動可能である人、兵士、車両、および／または任意の物体を含むデータベースに関連するツール・ボックスを使用して、選択可能である。
【００３６】
防衛手段は、起こり得る侵害シナリオの予想において、または侵害シナリオが選択された（２１０）後において、データベースから開発または選択可能である（２１２）。防衛手段は、要員による応答、アラーム、および／または外部の事業体（例えば消防、警察、または警備の要員など）への通報を含んでよい。
【００３７】
一実施形態では、防衛手段の少なくとも一部分が、コンピュータで生成可能であり、および／またはコンピュータ出力の形態で、設計者に提供可能である。コンピュータ出力は、特定の破壊が特定の応答を必要とする強制的手順を含んでよい。コンピュータ出力は、選択された侵害シナリオが、これまでのモデル２０１、２０２では、またはこれまでの現実世界の場合には、うまく対抗してきた推奨の防衛手段を提供することができる。強制的なおよび／または推奨のこれらの防衛手段は、所望の場合にはすぐにアクセスできるように、防衛手段のデータベースに保管可能である。防衛手段のデータベースは、容易に選択できるようにツール・ボックスとして実施可能である。特定の侵害シナリオの新規の開発された防衛手段および／または手順は、今後のモデリング・プロジェクトのデータベースおよびツール・ボックスに追加可能である。
【００３８】
侵害シナリオは、防衛手段の選択（２１２）の前または後に、実行可能である（２１４）。侵害シナリオは、選択的なプレスクリーン・プログラムをあらかじめ動作させる（２０８）ことなく実行可能である（２１４）。なぜなら侵害シナリオを動作させた結果が、死角を見つけることと関連しているからである。侵害シナリオを実行した（２１４）結果は、設計者に提供されるコンピュータ出力の形態であってよい。コンピュータ出力は、もしあるとすれば、センサの選択（２０４）、セキュリティ・システム１０１のアーキテクチュア、および／またはさらにセキュリティ・エリア１００自体のアーキテクチュアの中のいずれの弱点も指摘することができる。設計者はコンピュータ出力を使用して、セキュリティ・システム１０１全体の設計および／または実施のプランが顧客の要求および／または目標に合うかどうかを判定することができる。もし合わない場合には、セキュリティ要素１１０および／または要素のパラメータの選択（２０４）における変更が行われることができ、方法はセキュリティ・システム１０１のモデル２０１を最適化するために、再度、実行可能である。この最適化は、反復プロセスとして実行可能である。
【００３９】
コンピュータ出力は、方法が設備の設計および建設の段階で実施されている場合には、セキュリティ・エリア１００の建造物１０２、施設、および／または周囲１０４のシステムに設計変更を行う際に使用可能である。この場合には、セキュリティ・エリア１００のモデル２０２は、実行される設計変更および方法を再度実施する前に更新されて、設計変更と、更新されたセキュリティ・システム１０１とをテストすることができる。
【００４０】
図３は、セキュリティ・システム１０１のモデリングおよびテストが、コンピュータのロールプレイング・ゲームの形態で１人または複数のユーザにより行われることができる本発明の他の態様である。その実施を流れ図３００によって示す。セキュリティ・エリアのモデリングの流れ図３０２は、上述し図２に示したものと実質的には同様である。流れ図はまた、セキュリティ・システム１００および指令／制御センタ１１２を有する実際のまたは既存の建物／施設についても作成可能である（３０４）。セキュリティ・エリアの流れ図３０２からおよび／または建物／施設の流れ図３０４からの出力は、コンピュータによる挑戦３０８についてプログラムの流れを実施するコンピュータ３０６に提供可能である。
【００４１】
セキュリティ・エリア１００のモデル２０２が作成可能である（３０２）。建物および建造物１０２は、この種の要素を描写するためのツール・ボックスを使用してモデリング可能である（３１０）。施設および土地のモデルが、フェンス１１８、道路１２０、歩道１２２、木々、造園、埋設管および下水道管１２４、地形、水の関連設備、および建物周辺の土地を表す所望の任意の他のものを描写するためのツール・ボックスを使用して、作成可能である（３１２）。セキュリティ要素１１０は、実際のセンサの仕様を含むツール・ボックスを使用して作成される（３１４）。上述のように、超広帯域（ＵＷＢ）センサ、閉回路ＴＶ（ＣＣＴＶ）、マイクロ波センサ、レーザ・センサ、ドア用、門用、および窓用の接点スイッチ、赤外線センサ、運動センサ、熱および煙検出器、圧力センサ、加速度計、ならびに振動センサなど、任意の既知のまたは開発のセンサが選択可能である。次に、セキュリティ・エリア１００のモデリング３０２の流れ図は、指令と制御の流れ図３０４に提供可能である。
【００４２】
実際の建物の統合は、指令と制御の流れ図３０４で開発可能である。建造物１０２と、起こり得る所望の場所に配置されたセキュリティ要素１１０と共に取り囲まれている周辺部とは、セキュリティ・システム１０１を規定するため、図２で上述のようにモデリング可能である（３１８）。
【００４３】
指令と制御（Ｃ＆Ｃ）のセンタの情報ならびに表示部のモデルが、様々なコンポーネント、インターフェース要件、および／またはパラメータを含むツール・ボックスを使用して作成可能である（３１６）。Ｃ＆Ｃのモデルは、モデル３１８から、施設および／またはセキュリティ・エリア１００のセンサの事前選択、およびそれらの配置に基づくことができる。
【００４４】
侵入部隊は、セキュリティ脅威を作成するために、施設内で移動可能である人、兵士、車両、および／または任意の物体を含むツール・ボックスを使用して、モデリング可能である（３２４）。
【００４５】
Ｃ＆Ｃのモデル３１６、および侵害シナリオのモデル３２４は、その場合に、侵入者がセキュリティ・システム１０１のモデル２０１を破壊する、または言い換えれば、負かすことができるかどうかを判定するためのロールプレイング・ゲーム３０８で１人または複数のユーザによりコンピュータ３０６上で使用可能である。
【００４６】
施設防衛者３２０―このプレーヤは、指令／制御センタ１１２、アラーム、および／または見物人（３１６）を見ることが可能である。施設防衛者３２０は、指定された保安部隊（Ｓｅｃｕｒｉｔｙ  Ｆｏｒｃｅなど）による任意のおよびすべてのアラームに応答しなくてはならない。
【００４７】
施設攻撃者３２２―このプレーヤは、侵害シナリオのモデル３２４からの任意の利用可能なアセットにより施設および／またはセキュリティ・エリア１００に入ることを試みることができ、および／またはリアルタイムで侵害シナリオを作成することができる。
【００４８】
一態様では、施設防衛者３２０は、コンピュータで処理される施設攻撃者３２２を使用することができる。コンピュータで処理される施設攻撃者３２２は、セキュリティ脅威を施設および／またはセキュリティ・エリア１００に示すために、セキュリティ侵害シナリオのモデル３２４を活用するアルゴリズムであってよい。プログラムは、セキュリティ・システム１０１の各態様をテストするために反復プロセスとして実施可能である。一態様では、実質的な同時侵害シナリオは、セキュリティ・システム１０１のモデル２０１が実質的な同時攻撃に適切に応答することができるかどうかを判定するために実行可能である。
【００４９】
一態様では、施設防衛者３２０は、複数の人の協働であることが可能である。同様に、施設攻撃者３２２は、複数の人の協働であることが可能である。一態様では、テスト・ゲーム３０８は、ローカルエリア・ネットワーク（ＬＡＮ）、広域ネットワーク（ＷＡＮ）、イントラネット、および／またはインターネットを使用して接続される２つ以上のコンピュータを活用して、１人または複数のプレーヤ間で遠隔に実施可能である。複雑なセキュリティ・システム１０１および施設ならびに／またはセキュリティ・エリア１００がテストされることになるいくつかの場合には、多様な専門家が遠隔の場所から参加することもある。これは、軍事施設を設計および／またはテストする場合にあり得る。これらの要員は、セキュリティ・システム１０１において、および／またはセキュリティ・システム１０１に使用されるセキュリティ要素１１０において、熟練していることが可能であり、したがって、施設防衛者３２０の側で参加することができる。同様に、これらの要員は、軍事および／または攻撃の作戦に熟練していることができ、したがって、施設攻撃者３２２の側で参加することができる。
【００５０】
一実施形態では、コンピュータでモデリングされたセキュリティ・システム２０１を使用する要員を訓練する方法は、モデリングされたセキュリティ・システム２０１について侵害シナリオを選択することと、コンピュータ１１３、３０６を使用してその侵害シナリオに応答することとを含むことができる。方法は、上述し図２に示した流れ図を使用して、または上述し図３に示したロールプレイング・ゲームの流れ図を使用して実施可能である。この訓練方法は、パイロットの訓練および熟練度のテストのための飛行シミュレータの使用にやや似ているシミュレータ方法である。シミュレータは、実際のセキュリティ・システム１０１のモデル２０１を使用する個別の施設であってよく、またはシミュレータは、様々な侵害シナリオでプログラミングされたコンピュータ１１３、３０６により、指令／制御センタ１１２を有する実際のセキュリティ・システム１０１上で動作可能である。
【００５１】
本発明よる方法の様々な例示の実施形態を使用して、要員は訓練可能であり、および／または熟練度テストは実行可能である。セキュリティ・システム１０１およびセキュリティ・エリア１００は、図２の流れ図に従ってモデリング可能である。方法またはシミュレータのこの部分は、事前にプログラミングされ、施設の指令／制御センタ１１２または個別コンピュータの一部分であることが可能な施設１００のセキュリティ・システム１０１のコンピュータ１１３上で、保管されることができる。侵害シナリオは、事前にプログラミングされ、選択されることができ、またはそれらはシミュレーション中に入力されることができる。訓練されている要員は、実際の破壊イベントで通常利用できるであろう防衛手段および／または手順を使用して、侵害シナリオに応答する。防衛手段は、シミュレーション中に訓練生によって入力可能であり、および／またはシミュレータから選択可能である。シミュレータは、この場合、研修生の応答を判断することができ、その応答の有効性に関する出力を提供することができる。シミュレータはまた、１つまたは複数の追加の侵害シナリオにより、研修生の応答に対抗するためにプログラミング可能でもある。
【００５２】
前述の説明は、例示および説明の目的のため、本発明の特定の実施形態を対象にしている。しかし、本発明の範囲および添付の請求項から逸脱することなく、上記の多くの修正および変更が可能であることは、本開示の利便性を有する当業者には明らかであろう。
【図面の簡単な説明】
【００５３】
【図１】取り囲んでいる周囲、および門のある入り口を有する建造物のワイヤフレームの立面図である。
【図２】本発明による１つの方法の流れ図である。
【図３】本発明による１つの方法の他の流れ図である。（その方法によるテストがコンピュータ・ゲームとして実施される。）
【図１】
2008536199.tif 000003
【図２】
2008536199.tif 000004
【図３】
2008536199.tif 000005